(57)【要約】【課題】    多種の出荷形態に合わせて効率よく包装可能な平版印刷版の包装方法及び加工ラインを得る。【解決手段】  複数の出荷形態を備えた包装工程３６を単一ライン上に配置することで、  不要な工程では単にＰＳ版を通過させれば良いため、出荷形態に合わせてストレージする必要が無くなり、ウエブ１２を加工する加工工程と、包装工程３６とで同期させてラインを構成することができるため、生産効率が上がる。また、包装工程３６を単一ライン上に配置することで、ＰＳ版の加工ライン１００において、ＰＳ版の製造から出荷に至るまで完全に自動化が可能となる。【選択図】        図２
2006089120.tif 000002
【特許請求の範囲】
【請求項１】
平版印刷版を所定サイズに加工してシートとし、前記シートを集積して出荷形態に応じて内装、外装、梱包する包装方法において、
集積の後、仕分け部を除いて、内装形態を形成する内装部、外装形態を形成する外装部、出荷形態を形成する梱包部を単一ライン上に配置したことを特徴とする包装方法。
【請求項２】
前記出荷形態に拘わらず少なくとも内装形態を統一したことを特徴とする請求項１に記載の包装方法。
【請求項３】
加工された前記シートに出荷形態の情報を持たせ、集積されたシート束が、前記情報に応じて前記内装部、前記外装部又は前記梱包部を選択して移動することを特徴とする請求項１又は２に記載の包装方法。
【請求項４】
平版印刷版を所望のサイズに切断し、複数枚のシートに加工する切断部と、
前記切断部で切断されたシートを集積する集積部と、
前記集積部に集積された束体を束内装する束内装部と、
前記束内装部で内装された束体を外装する外装部と、
前記束内装された束体を段ボール外装して出荷形態とする第１出荷部と、
前記束内装された束体又は前記集積部に集積された束体を一括内装する一括内装部と、
前記束内装された束体又は前記一括内装部された束体を片段ボール一括外装する片段ボール一括外装部と、
前記一括内装又は前記片段ボール一括外装された束体を出荷形態とする第２出荷部と、
を備え、
前記切断部、前記集積部、前記束内装部、前記外装部、前記第１出荷部、前記一括内装部、前記片段ボール一括外装部、前記第２出荷部が単一ライン上に配置されたことを特徴とする平版印刷版の加工ライン。
【発明の詳細な説明】
【技術分野】
【０００１】
本発明は、平版印刷版の包装方法及び加工ラインに関するものである。
【背景技術】
【０００２】
平版印刷版（以下「ＰＳ版」という）は、一般にシート状或いはコイル状のアルミニウム版等の金属版に、例えば、砂目立て、陽極酸化、シリケート処理、その他化成処理等の表面処理を単独又は適宜組み合わせて行い、次いで、感光液の塗布及び乾燥処理を行った後、裁断部で所望のサイズに裁断し、シート状態から束状態に集積して、製品形態に包装し出荷される。
【０００３】
しかしながら、ＰＳ版は感光性印刷版に限っても、少印刷用、多量印刷用、新聞印刷用、レーザー製版用などの品種があるとともに、板厚も０．１ｍｍ〜０．５ｍｍまである。また、サイズもカードサイズから畳大の大きさまであり、各仕様に合わせてユーザに供給されている。
【０００４】
ここで、各仕様に合わせた出荷形態は、シートの集合体である束が１束当たり２０Ｋｇ相当を目安にアルミクラフトなどの内装材で内装した状態で出荷する形態と、内装された内装束を扁平の段ボール箱で外装する個装（段ボール外装）と呼ばれる形態がほとんどであった（例えば、特許文献１）。
【０００５】
一方、感光性印刷版の普及にともない、ユーザの使い勝手も多様になり、内装束を数束積み上げパレット包装で出荷する束内装形態、内装しない状態で数百枚一括でパレット包装するバルク形態、合紙なしで専用鉄製スキッドに数百枚積み重ね一括包装するスキッド形態、など多様な出荷形態が要求されるようになってきた。
【０００６】
個装のみを行う場合、ＰＳ版を所望のサイズに裁断した後、この裁断部の後端に内装、或いは個装する包装装置を直結することで比較的容易に自動ラインを設備化できるが、前出した多種の出荷形態に対応させるためには、自動ラインの設備化が困難であり、裁断部で裁断されたＰＳ版を一度パレット上に積み上げてストレージし、出荷形態に合わせて仕分けして該ＰＳ版を取り出し、人手によって包装しなければならない。
【０００７】
ここで、自動化の方策として、裁断部の後端に各種の包装装置をパラレルに並べることも考えられるが、指定された形態の包装を行っている場合、他の包装装置は休止状態となり非効率である。
【特許文献１】特開２００１−６６７３７号公報
【発明の開示】
【発明が解決しようとする課題】
【０００８】
本発明は、上記事実を考慮し、多種の出荷形態に合わせて効率よく包装可能な平版印刷版の包装方法及び加工ラインを提供することを目的とする。
【課題を解決するための手段】
【０００９】
請求項１に記載の発明は、平版印刷版を所定サイズに加工してシートとし、前記シートを集積して出荷形態に応じて内装、外装、梱包する包装方法において、集積の後、仕分け部を除いて、内装形態を形成する内装部、外装形態を形成する外装部、出荷形態を形成する梱包部を単一ライン上に配置したことを特徴としている。
【００１０】
請求項１に記載の発明では、集積の後、仕分け部を除いて、内装部、外装部、梱包部を単一ライン上に配置することで、不要な工程では単にＰＳ版を通過させれば良く、出荷形態に合わせて仕分け部においてストレージする必要が無くなり、加工工程と、包装工程とで同期させてラインを構成することができるため、生産効率が上がる。
【００１１】
請求項２に記載の発明は、請求項１に記載の包装方法において、前記出荷形態に拘わらず少なくとも内装形態を統一したことを特徴としている。
【００１２】
請求項２に記載の発明では、いわゆる、束内装形態、バルク形態、スキッド形態等の出荷形態において、内装、外装などの包装形態の少なくとも一部の統一化を図ることで、スペースセービングを実現させることができる。また、ライン上の工程の稼働率を上げることができ、各工程に配置された装置の無駄がなくなる。
【００１３】
請求項３に記載の発明は、請求項１又は２に記載の包装方法において、加工された前記シートに出荷形態の情報を持たせ、集積されたシート束が、前記出荷形態に応じて前記内装部、前記外装部又は前記梱包部を選択して移動することを特徴としている。
【００１４】
請求項３に記載の発明では、加工されたシートに、出荷形態の情報を記録させておく。そして、シート束が所定枚数集積された状態で、制御装置によって該情報に従って選択された内装部、外装部又は梱包部へシート束を移動させるようにすることで、包装工程の自動化が可能となる。
【００１５】
このため、出荷形態の変更に対してもスムーズに切換が可能となる。つまり、制御的にトラッキングすることで、所定のシート束の位置を把握することができるため、所定の出荷形態による包装が終了した後、包装工程のライン終了後、直ぐに、次の出荷形態による包装工程のラインに移行することができる。
【００１６】
また、該情報に出荷形態以外にも、サイズ又は表示などの情報を加えることで、サイズ変更、表示変更などに対しても速やかに移行することができる。さらに、該情報はシートにインクジェットマーキングなどによって記録する以外に、仮想データとして制御し、最終出荷の出来高情報で整合性を確認するようにしても良い。
【００１７】
請求項４に記載の発明は、平版印刷版の加工ラインにおいて、平版印刷版を所望のサイズに切断し、複数枚のシートに加工する切断部と、前記切断部で切断されたシートを集積する集積部と、前記集積部に集積された束体を束内装する束内装部と、前記束内装部で内装された束体を外装する外装部と、前記束内装された束体を段ボール外装して出荷形態とする第１出荷部と、前記束内装された束体又は前記集積部に集積された束体を一括内装する一括内装部と、前記束内装された束体又は前記一括内装部された束体を片段ボール一括外装する片段ボール一括外装部と、前記一括内装又は前記片段ボール一括外装された束体を出荷形態とする第２出荷部と、を備え、前記切断部、前記集積部、前記束内装部、前記外装部、前記第１出荷部、前記一括内装部、前記片段ボール一括外装部、前記第２出荷部が単一ライン上に配置されたことを特徴としている。
【００１８】
請求項４に記載の発明では、切断部、集積部、束内装部、外装部、第１出荷部、一括内装部、片段ボール一括外装部、第２出荷部を単一ライン上に配置することで、平版印刷版の加工ラインにおいて、平版印刷版の製造から出荷に至るまで完全に自動化が可能となり、生産効率が上がる。
【発明の効果】
【００１９】
本発明は、上記構成としたので、請求項１に記載の発明では、集積の後、仕分け部を除いて、内装部、外装部、梱包部を単一ライン上に配置することで、不要な工程では単にＰＳ版を通過させれば良く、出荷形態に合わせて仕分け部においてストレージする必要が無くなり、加工工程と、包装工程とで同期させてラインを構成することができるため、生産効率が上がる。
【００２０】
請求項２に記載の発明では、いわゆる、束内装形態、バルク形態、スキッド形態等の出荷形態において、内装、外装などの包装形態の少なくとも一部の統一化を図ることで、スペースセービングを実現させることができる。また、ライン上の工程の稼働率を上げることができ、各工程に配置された装置の無駄がなくなる。
【００２１】
請求項３に記載の発明では、シート束が所定枚数集積された状態で、制御装置によって、データ部の情報に従って選択された内装部、外装部又は梱包部へシート束を移動させるようにすることで、包装工程の自動化が可能となる。このため、出荷形態の変更に対してもスムーズに切換が可能となる。
【００２２】
請求項４に記載の発明では、切断部、集積部、束内装部、外装部、第１出荷部、一括内装部、片段ボール一括外装部、第２出荷部を単一ライン上に配置することで、平版印刷版の加工ラインにおいて、平版印刷版の製造から出荷に至るまで完全に自動化が可能となり、生産効率が上がる。
【発明を実施するための最良の形態】
【００２３】
図１には、本発明の実施の形態に係る包装方法が適用された平版印刷版１０（以下、「ＰＳ版１０」という）の加工ライン１００が示されている。
【００２４】
この加工ライン１００の上流側（図１右上側）には、あらかじめロール状に巻かれたウエブ１２を順次巻き出す送出機１４が配設されている。送出機１４から送り出された長尺状のウエブ１２はカール矯正された後、合紙１８が貼り合わされ、帯電により密着されて、ノッチャー２０に至る。
【００２５】
ノッチャー２０は、ウエブ１２に打ち抜き部を設け、裁断加工部２２を構成する裁断刃２４が、打ち抜き位置でウエブ１２の幅方向へ移動できるようにする。これにより、ウエブ１２を連続裁断しながら、ウエブ１２の裁断幅を変更することが可能となる。
【００２６】
このようにして、所定の裁断幅に裁断されたウエブ１２は、指示されたタイミングで走間カッタ３０により切断される。これにより、設定されたサイズのＰＳ版１０が製造される。各ＰＳ版１０には、個々にサイズや出荷形態等の情報が持たされており、出荷形態に応じて、制御部３２（図２参照）によって制御されるようになっている（後述する）。
【００２７】
そして、ＰＳ版１０は、コンベア３４によって後述する包装工程３６へ送られ、個々の出荷形態に応じて、包装材料（テープ、内装材、外装材等）によって包装され、各ユーザへ出荷される。
【００２８】
ここで、ウエブ１２には、アルミニウム製の支持体上にあらかじめ感光層（又は感熱層）が形成されており、この感光層（又は感熱層）が形成された面が、ＰＳ版１０（図１参照）の画像形成面（ウエブ１２の表面）となっている。ウエブ１２は、加工ライン１００によって加工されて所望のサイズとされることで、印刷に使用可能なＰＳ版１０となる。
【００２９】
また、支持体としてのアルミニウム板は、例えば、ＪＩＳ１０５０材、ＪＩＳ１１００材、ＪＩＳ１０７０材、Ａｌ−Ｍｇ系合金、Ａｌ−Ｍｎ系合金、Ａｌ−Ｍｎ−Ｍｇ系合金、Ａｌ−Ｚｒ系合金、Ａｌ−Ｍｇ−Ｓｉ系合金等を適用し得る。メーカにおけるアルミニウム板の製造過程では、上記規格に適合するアルミニウムの鋳塊を製造し、このアルミニウム鋳塊を熱間圧延した後、必要に応じて焼鈍と呼ぶ熱処理を施し、冷間圧延により所定の厚さとされた帯状のアルミニウム板に仕上げる。
【００３０】
ＰＳ版１０は、長方形の板状に形成された薄いアルミニウム板の片面に、塗布膜（感光性印刷版の場合には感光層、感熱性印刷版の場合には感熱層）を塗布して形成されている。この塗布膜に、露光、現像処理、ガム引き等の製版処理が行われ、印刷機にセットされ、インクが塗布されることで、紙面に文字、画像等が印刷される。
【００３１】
なお、ＰＳ版１０（ウエブ１２）の具体的構成は特に限定されないが、例えば、ヒートモード方式およびフォトン方式のレーザ刷版用の平版印刷版とすることによって、デジタルデータから直接製版可能な平版印刷版とすることができる。
【００３２】
そして、塗布膜が塗布された面を画像形成面といい、この反対側の面、すなわち塗布膜が塗布されていない面を非画像形成面という。なお、本実施形態のＰＳ版１０は、印刷に必要な処理（露光や現像等）が施される前段階のものであり、場合によっては平版印刷版原版あるいは平版印刷版材と称されることもある。
【００３３】
また、ＰＳ版１０は、感光層又は感熱層中の成分を種々選択することによって、種々の製版方法に対応した平版印刷版とすることができる。本発明の平版印刷版の具体的態様の例としては、下記（１）〜（１１）の態様が挙げられる。
（１）  感光層が赤外線吸収剤、熱によって酸を発生する化合物、および酸によって架橋する化合物を含有する態様。
（２）  感光層が赤外線吸収剤、および熱によってアルカリ溶解性となる化合物を含有する態様。
（３）  感光層が、レーザ光照射によってラジカルを発生する化合物、アルカリに可溶のバインダー、および多官能性のモノマーあるいはプレポリマーを含有する層と、酸素遮断層との２層を含む態様。
（４）  感光層が、物理現像核層とハロゲン化銀乳剤層との２層からなる態様。
（５）  感光層が、多官能性モノマーおよび多官能性バインダーとを含有する重合層と、ハロゲン化銀と還元剤を含有する層と、酸素遮断層との３層を含む態様。
（６）  感光層が、ノボラック樹脂およびナフトキノンジアジドを含有する層と、ハロゲン化銀を含有する層との２層を含む態様。
（７）  感光層が、有機光導電体を含む態様。
（８）  感光層が、レーザー光照射によって除去されるレーザー光吸収層と、親油性層および／または親水性層とからなる２〜３層を含む態様。
（９）  感光層が、エネルギーを吸収して酸を発生する化合物、酸によってスルホン酸またはカルボン酸を発生する官能基を側鎖に有する高分子化合物、および可視光を吸収することで酸発生剤にエネルギーを与える化合物を含有する態様。
（１０）  感光層が、キノンジアジド化合物と、ノボラック樹脂とを含有する態様。
（１１）  感光層が、光又は紫外線により分解して自己もしくは層内の他の分子との架橋構造を形成する化合物とアルカリに可溶のバインダーとを含有する態様。
【００３４】
特に、レーザー光の照射により現像液に対する可溶性が変化する感光層（又は感熱層）を有する平版印刷版では、感光層（又は感熱層）が損傷を受けやすいため、本発明の平版印刷版包装構造を適用すると、後述するようにいわゆる膜剥れを確実に防止でき、好ましい。
【００３５】
なお、ここでいうレーザー光の波長は特に限定されず、例えば、
（ａ）  波長域３５０〜４５０ｎｍのレーザー（具体例としては、波長４０５±５ｎｍのレーザーダイオード）。
（ｂ）  波長域４８０〜５４０ｎｍのレーザー（具体例としては、波長４８８ｎｍのアルゴンレーザー、波長５３２ｎｍの（ＦＤ）ＹＡＧレーザー、波長５３２ｎｍの固体レーザー、波長５３２ｎｍの（グリーン）Ｈｅ−Ｎｅレーザー）。
（ｃ）  波長域６３０〜６８０ｎｍのレーザー（具体例としては、波長６３０〜６７０ｎｍのＨｅ−Ｎｅレーザー、波長６３０〜６７０ｎｍの赤色半導体レーザー）。
（ｄ）  波長域８００〜８３０ｎｍのレーザー（具体例としては、波長８３０ｎｍの赤外線（半導体）レーザー）。
（ｅ）  波長１０６４〜１０８０ｎｍのレーザー（具体例としては、波長１０６４ｎｍのＹＡＧレーザー）。
【００３６】
等を挙げることができる。これらのうち、例えば、（ｂ）及び（ｃ）の波長域のレーザー光はいずれも、上記した（３）又は（４）の態様の感光層又は感熱層を有する平版印刷版の双方に適用可能である。また、（ｄ）及び（ｅ）の波長域のレーザー光はいずれも、上記した（１）又は（２）の態様の感光層又は感熱層を有する平版印刷版の双方に適用可能である。もちろん、レーザー光の波長域と感光層又は感熱層との関係はこれらに限定されない。
【００３７】
ＰＳ版１０の形状等は特に限定されず、例えば、厚み０．１〜０．５ｍｍ、長辺（幅）３００〜２０５０ｍｍ、短辺（長さ）２００〜１５００ｍｍのアルミニウム板の片面に感光層又は感熱層が塗布されたもの等とすることができる。
【００３８】
使用される合紙１８としては平版印刷版に用いられる一般的なものでよいが、代表例を下記に示す。合紙１８としても、ＰＳ版１０の塗布膜を確実に保護できれば、その具体的構成は限定されないが、例えば、木材パルプを１００％使用した紙や、木材パルプを１００％使用せず合成パルプを使用した紙、及びこれらの紙の表面に低密度ポリエチレン層を設けた紙等を使用できる。
【００３９】
特に、合成パルプを使用しない紙では、材料コストが低くなるので、低コストで合紙１８を製造することができる。より具体的には、漂白クラフトパルプから抄造した坪量２０〜５５ｇ／ｍ2、密度０．７〜０．８５ｇ／ｃｍ3、水分４〜６％、ベック平滑度１０〜８００秒、ＰＨ４〜６、透気度１５〜３００ｓｅｃの合紙が挙げられるが、もちろんこれに限定されない。
【００４０】
次に、本発明の実施の形態に係る包装工程３６について説明する。
【００４１】
図１及び図２に示すように、包装工程３６は、集積部３８、束テープ部４０、束内装部４２、外装部４４、第１出荷部４６、束集積部４７、一括内装部４８、片段ボール一括外装部５０、天板載せ部５２、バンド締結部５４、第２出荷部５６で構成されており、単一のライン上に配置されている。
【００４２】
まずは、図１及び図２を参照して各工程について以下に説明する。
（集積部３８）
図３（ｉ）、（ｉｉ）の（Ａ）に示すように、集積部３８では、ＰＳ版１０が所定枚数積み重ねられる（いわゆる積層束６０）。１つの積層束６０を構成するＰＳ版１０の数は特に限定されないが、運搬や保管の効率化の観点等から、例えば１０枚〜１００枚とすることができる。また、さらに多くのＰＳ版１０によって積層束６０を構成し、より効率的に（少ない荷扱いの回数で）運搬や保管をできるようにすることも可能である。
【００４３】
例えば、ＰＳ版１０の枚数を最大で３０００枚程度としてもよい。ＰＳ版１０の種類によっては、塗布膜を保護する合紙１８を省略し、ＰＳ版１０のみで積層束６０を構成してもよい。また、積層束６０は、集積部３８において、パレット４１上に直接積み重ねられる場合もある。
【００４４】
ここで、各ＰＳ版１０には、個々にサイズや出荷形態等の情報が記録された情報部１６０を有しており、加工ライン１００上に配設された読取装置１６２によって、情報部１６０に記録された出荷形態等の情報が読取られ、制御部３２へ信号が送信されるようになっている。
【００４５】
これにより、集積部３８において、ＰＳ版１０が所定枚数集積された状態（積層束６０）で、制御部３２によって、情報部１６０の情報に従って選択された束内装部４２、外装部４４等の工程へ積層束６０が移動することとなる。なお、ここでは、集積部３８は一箇所となっているが、複数箇所設けても良い。
【００４６】
次に、図３（ｉ）、（ｉｉ）の（Ｂ）に示すように、積層束６０の上下若しくは片側には、保護用厚紙６２（いわゆる当てボール６２であり、以下「当てボール６２」という）が配置される。この当てボール６２は、集積部３８の近傍に配置された裁切断部３９において、予め積層束６０のサイズに合わせて裁切断され、集積部３８へ供給される。この当てボール６２によって、積層束６０を構成するＰＳ版１０の湾曲や、外力による変形、損傷等を防止する。
【００４７】
ここで、ＰＳ版１０の種類によっては、片面だけでなく、両面に塗布膜が設けられたもの（いわゆる「両面品」）がある。当てボール６２としては、木材パルプ、麻等の天然繊維、ポリオレフィン等の線状高分子から得られる合成パルプ、再生セルロース等を単独又は混合したものを材料として使用した、坪量２００〜１５００ｇ／ｍ2、密度０．７〜０．８５ｇ／ｃｍ3、水分４〜６％、ベック平滑度３〜２０秒、ＰＨ４〜６の紙を使用することができるが、もちろんこれに限定されない。
【００４８】
特に、木材パルプや天然繊維繊等、低コストの材料を選択することで、当てボール６２を低コストで製造することができる。より具体的には、例えば、原料故紙を叩解し、４％の濃度に希釈した紙料にサイズ剤を厚紙重量の０．１％、紙力剤を厚紙重量の０．２％になるように加え、さらに硫酸アルミニウムをＰＨが５．０になるまで加えた紙料を用いて抄紙して得られた密度０．７２ｇ／ｃｍ3、坪量６４０ｇ／ｍ2の厚紙を挙げることができるが、もちろんこれに限定されない。
（束テープ部４０）
以上のように、積層束６０の上下に当てボール６２が配置された状態（以下、「積層束６４」という）で、図３（ｉ）の（Ｃ）に示すように、上下の当てボール６２を架け渡すようにして、粘着テープ（以下、「束テープ６６」という）が所定位置で張り付けられる。これにより、不用意に積層束６４が広がったり脱落したりしないように固定される。
（束内装部４２）
次に、図３（ｉ）、（ｉｉ）の（Ｄ）に示すように、束テープ６６の有無には拘わらず、積層束６４は、束内装部４２において内装紙６８で内装される（内装紙６８で内装された積層束６４を、以下、「内装束７４」という）。内装紙６８は、遮光性及び防湿性を有する紙によって構成されており、内装紙６８を使用して、積層束６４が外部から完全に遮断されるように内装することで、積層束６４を確実に遮光及び防湿することができる。
【００４９】
内装紙６８の材質は、このように積層束６４を完全に外部から遮断して包装することが可能であれば特に限定されないが、例えば、所定の大きさとされた１枚の長方形状の未晒クラフト紙によって構成することができる。
【００５０】
ここで、図５（Ａ）に示すように、内装紙６８の長辺６８Ｌの長さは、積層束６４の長辺６４Ｌと内装紙６８の短辺６８Ｓとが平行になるように内装紙６８の略中央に積層束６４を置き、内装紙６８を積層束６４の長辺６４Ｌに沿って両側から折り曲げた状態で、内装紙６８の短辺６８Ｓの近傍が部分的に重なり合う長さとされている。
【００５１】
また、図５（Ｂ）に示すように、内装紙６８の短辺６８Ｓの長さは、この短辺６８Ｓの近傍が部分的に重なり合った状態から、さらに内装紙６８の長辺６８Ｌ側を折りこんだとき、積層束６４の上面と平面視して部分的に重なる長さとされている。
【００５２】
このようにして内装紙６８によって積層束６４を内装することで、図５（Ｃ）に示すように、積層束６４が全面に渡って内装紙６８で覆われることとなる。ここで、重なった状態で上に位置する内装紙６８の一端部には、ホットメルト等で糊付けが成されており、内装紙６８の所定位置で張り付け、不用意に内装紙６８が広がったり脱落したりしないように固定する。糊付けの代わりにヒートシール、テープ止めでも良い。
【００５３】
なお、図５（Ａ）〜（Ｃ）に示したものは、内装紙６８によって積層束６４を内装する構造の一例であり、これに限定されないことはもちろんである。要するに、積層束６４を内装紙６８で覆うことで、後述するように、外装材７０との組み合わせによってＰＳ版１０を確実に遮光及び防湿できればよい。
（外装部４４）
図３（ｉ）、（ｉｉ）の（Ｄ）及び図６に示すように、外装材７０は、段ボールによって構成され、１又は複数の内装束７４を収容可能な内寸を有する段ボール箱とされている。従って、内装束７４を外装材７０の内側に収容した状態では、内装束７４の周囲に段ボールが配置されていることになり、運搬時や保管時などに外部から物が当たったりしても、このエネルギーが外装材７０によって吸収される。
【００５４】
また、外装材７０の外部からの光は外装材７０によって遮られ、内装紙６８に達する光は極めて微弱（実質的に、外装材７０の貼り合わせ部分等から入射する光のみ）になる。さらに、外装材７０の外部の湿度変化及び温度変化に対して外装材７０が緩衝作用を果たし、外装材７０の内側での湿度変化及び温度変化が外側よりも少なくなる。
（第１出荷部４６）
第１出荷部４６では、以上のように、外装材７０で外装された内装束７４が、出荷形態の一つとして、ユーザへ出荷される。
（束集積部４７）
一方、内装紙６８で内装された内装束７４は、図４（ｉ）の（Ａ）に示すように、パレット８２上に積み重ねられ（以下、「集積束７８」という）、一括内装部４８において、一括内装される。
（一括内装部４８）
次に、一括内装部４８では、図４（ｉ）〜（ｉｖ）の（Ｂ）に示すように、集積束７８或いは、積層束６４が一括内装される。以下、集積束７８を例に挙げて説明する。図７に示すように、内装紙８０の一端部を集積束７８の側面に当接させて保持し、パレット８２が載置されたターンテーブル１０２を旋回させ、内装紙８０を集積束７８の側面に巻付けていく。この際、クラフトテープ８４を内装紙８０の下端部と積載部材８６の側面に巻付けていき、内装紙８０の下端部を積載部材８６の側面に接着する。また、内装紙の下部に両面テープを貼り付け、積載部材８６の側面と接着させても良い。
【００５５】
なお、内装紙８０は遮光、防湿性を確保することを目的として、本実施形態ではクラフト紙にアルミ箔をラミネートしたアルミクラフト紙が使用されているが、この他、クラフト紙、アルミクラフト紙のアルミ箔上に低密度ポリエチレン層、又は黒ポリエチレンフィルムを貼り合わせたもの等が使用される。
【００５６】
ここで、内装紙８０の幅は、集積束７８の高さを越え、後に集積束７８の高さを越えた部分を折り畳んで集積束７８の上面を覆うことができるサイズとされている。図８（Ａ）、（Ｂ）に示すように、内装紙８０が集積束７８の側面に１周巻付けられたところで、内装紙８０をカットし、後端部と先端部をテープ８１又はホットメルト等の接着剤で接着する。そして、上部を折り畳んで集積束７８の上面を覆い、テープ止めする。このようにして、一括内装された集積束７８を、以下、一括内装束９２という。
（片段ボール一括外装部５０）
次に、出荷形態によっては、図４（ｉ）、（ｉｉ）の（Ｃ）に示すように、片段ボール一括外装が行われる。つまり、図９に示すように、いわゆる片段ボール９４を、片段ボールロール９８から引き出し、巻付け装置９６によって一括内装束９２の側面に巻付ける。
【００５７】
巻付け装置９６には、一括内装束９２が積載されたパレット８２が載置され、図示しない旋回装置で時計回り（図中矢印Ａ方向）に旋回する円状のターンテーブル１０２が設けられている。このターンテーブル１０２上には、片段ボール９４の先端を保持する第１先端保持装置１０４が一括内装束９２の側面から隙間を空けて立設されている。
【００５８】
第１先端保持装置１０４は、中空の矩形柱状のチャンバで、図示しない真空装置によって内部を真空にされ、一括内装束９２の側面と向き合う面に多数の吸引孔（図示省略）が形成されている。これによって、片段ボール９４の先端を吸着でき、ターンテーブル１０２を旋回させると、片段ボール９４は、片段ボールロール９８から巻出されて一括内装束９２の側面に巻き付けられる。
【００５９】
また、ターンテーブル１０２が旋回されている時に、片段ボール９４を一括内装束９２の側面に密着させて、巻付けられた片段ボール９４の弛みを取る弛み取り装置１０６が設けられている。
【００６０】
この弛み取り装置１０６は、弛み取りロール１０８と、この弛み取りロール１０８の軸方向の両端部を回転可能に支持するコ字状のアーム１１０とで構成され、図示しないエアシリンダによって軸部１１０Ａを中心に揺動し、弛み取りロール１０８を一括内装束９２の側面に押し当てている。
【００６１】
そして、ターンテーブル１０２が１周旋回され、片段ボール９４が一括内装束９２の側面に１周巻付けられたところで、第２先端保持装置１１２が片段ボール９４を保持する。ここで、切断保持装置１１４が片段ボール９４を切断し、テープ又はホットメルト等の接着剤で一括内装束９２の側面に貼り付ける。
（天板載せ部５２）
次に、片段ボール一括外装の有無に拘わらす、一括内装束９２は、図４（ｉ）〜（ｉｖ）の（Ｄ）に示すように、移動装置１２０（図１０参照）を駆動して、一括内装束９２に対応する天板１１６を一括内装束９２の天面に移載させる。
【００６２】
ここで、図１０に示すように、移動装置１２０には吸着パッド１２２が設けられており、この吸着パッド１２２によって天板１１６を吸着し、一括内装束９２の上方に移動させる。天板１１６は、一括内装束９２のサイズに応じて、一括内装束９２の上面と略同じか、もしくは若干大きいサイズの板状に形成されており、この天板１１６により、一括内装束９２の上方から外力が作用した場合でもそのエネルギーが吸収され、ＰＳ版１０の変形が、実用上問題となることがない程度に抑えられる。
（バンド締結部５４）
次に、バンド締結部５４では、図４（ｉ）〜（ｉｖ）の（Ｅ）及び図１１に示すように、パレット８２と、一括内装束９２及び天板１１６に対し、これら全体を一体的に結束するように、樹脂製のバンドで形成されたバンド１２４が巻き掛けられ、パレット８２と、一括内装束９２及び天板１１６を一体的に荷扱いでき、これらが不用意にずれたり荷崩れを起こしたりしないように固定される（以下、「結束束体１２６」という）。
（第２出荷部５６）
第２出荷部５６では、以上のように、バンド締結された結束束体１２６が、出荷形態の一つとして、ユーザへ出荷される。
【００６３】
次に、本発明の実施の形態に係る包装方法の要旨について説明する。
【００６４】
図２には、包装工程３６のラインが模式的に示されており、一例として６種類の出荷形態が図示されている。
【００６５】
例えば、出荷形態Ｉ、ＩＩは、いわゆる束内装形態とされ、外装部４４によって、外装材７０による外装を行った後（いわゆる束内装形態、図３（ｉ）、（ｉｉ）の（Ｅ）参照）、第１出荷部４６へ送られ、出荷される。
【００６６】
ここで、出荷形態Ｉは、集積部３８、束テープ部４０、束内装部４２、外装部４４の各工程における処理（図３（ｉ）の（Ａ）〜（Ｅ）参照）が行われるが、出荷形態ＩＩでは、ＰＳ版が集積され、積層束６０に当てボール６２が配置された状態で、束テープ部４０を通過し、束テープ６６をしない状態で、積層束６４が束内装部４２へ送られ、束内装及び外装が行われることとなる（図３（ｉｉ）の（Ａ）〜（Ｅ）参照）。
【００６７】
また、出荷形態ＩＩＩ〜ＶＩは、第２出荷部５６へ送られるが、これらは、外装部４４を通過することとなる。例えば、出荷形態ＩＩＩでは、束内装部４２において内装された内装束７４（図３（ｉ）の（Ｄ）参照）は、束集積部４７によって束集積され、一括内装部４８を通過した後、片段ボール一括外装部５０において、片段ボール一括外装が成される（図４（ｉ）の（Ａ）〜（Ｃ）参照）。そして、天板載せ部５２において、天板１１６が載せられ、バンド締結部５４でバンド締結された後、第２出荷部５６へ送られる（図４（ｉ）の（Ｄ）、（Ｅ）参照）。
【００６８】
ここで、出荷形態ＩＶの場合は出荷形態ＩＩＩと略同じ形態であるが、出荷形態ＩＶでは、積層束６０に当てボール６２が配置された状態で、束テープ部４０を通過し、束テープ６６をしない状態で束内装が行われることとなる（図３（ｉｉ）の（Ａ）〜（Ｄ）参照）。
【００６９】
一方、出荷形態Ｖ、ＶＩでは、ＰＳ版が集積され、積層束６０に当てボール６２が配置
された状態で、束テープ部４０、束内装部４２、外装部４４、束集積部４７をそれぞれ通過し、一括内装部４８で一括内装が成される（図４（ｉｉ）〜（ｉｖ）の（Ａ）、（Ｂ）参照）。
【００７０】
そして、出荷形態Ｖは、片段ボール一括外装部５０、天板載せ部５２、バンド締結部５
４で各工程における処理がそれぞれ行われる（いわゆるバルク形態、図４（ｉｉ）の（Ｃ）〜（Ｅ）参照）。また、出荷形態ＶＩは、一括内装部４８で一括内装が成された後、片段ボール一括外装部５０を通過し、天板載せ部５２へ送られる（いわゆるスキッド形態、図４（ｉｉｉ）、（ｉｖ）の（Ｃ）〜（Ｅ）参照）。
【００７１】
このように、複数の出荷形態を備えた包装工程３６（裁断加工部２２、集積部３８、束内装部４２、外装部４４、第１出荷部４６、束集積部４７、一括内装部４８、片段ボール一括外装部５０、天板載せ部５２、バンド締結部５４、第２出荷部５６）を単一ライン上に配置することで、不要な工程では単にＰＳ版１０を通過させれば良いため、出荷形態に合わせてストレージする必要が無くなり、ウエブ１２を加工する加工工程と、包装工程３６とで同期させてラインを構成することができるため、生産効率が上がる。
【００７２】
また、包装工程３６を単一ライン上に配置することで、ＰＳ版１０の加工ライン１００において、ＰＳ版１０の製造から出荷に至るまで完全に自動化が可能となる。
【００７３】
例えば、前述したように、各ＰＳ版１０に、個々にサイズや出荷形態、表示等が記録された情報部１６０（例えば、インクジェットマーキング等でバーコード印字を行う）の情報を加工ライン１００上に配設された読取装置１６２によって読取り、制御部３２へ信号を送信するようにする。
【００７４】
そして、制御部３２によって、ＰＳ版１０を情報部１６０の情報に従って選択された束内装部４２、外装部４４、束集積部４７等の工程へ移動させるようにすることで、出荷形態の変更に対してもスムーズに切換が可能となる。
【００７５】
つまり、制御的にトラッキングすることで、所定のＰＳ版１０の位置を把握することができるため、所定の出荷形態による包装が終了した後、包装工程３６のライン終了後、直ぐに、次の出荷形態による包装工程３６のラインに移行することができる。
【００７６】
なお、ここでは、個々にサイズや出荷形態、表示等が記録された情報部１６０の情報を読取装置１６２で読取るようにしたが、これに限るものではない。例えば、ＰＳ版１０毎に仮想データとして制御部３２で制御し、最終出荷の出来高情報で整合性を確認するようにしても良い。
【００７７】
ところで、以上のように、包装工程３６を単一ライン上に配置するに当たって、いわゆる、束内装形態、バルク形態、スキッド形態等の出荷形態において、内装、外装などの包装形態の少なくとも一部を統一化している。
【００７８】
つまり、図１２及び図１３に示すように、従来の包装形態では、各出荷形態に応じて包装方法が異なっており、例えば、バルク形態（図１２（ｉ）参照）の場合とスキッド形態（図１２（ｉｉ）、（ｉｉｉ）参照）の場合を比較すると一目瞭然である。
【００７９】
バルク形態（図１２（ｉ）参照）では、図１３のＶＩの２のラインで示すように、一括内装Ａの後、角状の緩衝材１３０及びスリーブ１３２をそれぞれ外挿し（一括外装Ｂ）、天板１３４を載せ、バンド締結を行う。
【００８０】
一方、スキッド形態（図１２（ｉｉ）参照）では、図１３のＶのラインで示すように、
束集積された積層束６４の上部から積層束６４の上面及び側面を覆うように内装紙１３８を被せる。そして、幅方向に合わせ目を持つ一対のコ字状の段ボール１４０で内装紙１３８を押さえた状態でテーピングし（一括内装Ｂ）、ストレッチ部材１４２で外周を巻いた（一括外装Ｃ）後、包装束体１４４の上面に天板１４６を載せ、天板１４６をテープ１４７で留める（ストレッチ締結）。
【００８１】
また、別のスキッド形態（図１２（ｉｉｉ）参照）では、図１３のＶＩの１のラインで示すように、束集積された積層束６４の上部から積層束６４の上面及び側面を覆うように内装紙１４８を被せ、長手方向に合わせ目を持つ一対のコ字状の段ボール１５０で内装紙１４８を押さえた状態でテーピングし（一括内装Ｃ）、この状態のまま、包装束体１５２の上面に天板１５４を載せ、ボルト締結を行う。
【００８２】
さらに、束内装後に出荷する場合においても、図１３のＩ〜ＩＶのラインで示すように、束内装を行った後、図示はしないが、段ボール外装と一括外装Ａの２種類の形態で出荷されることとなる。
【００８３】
このように、従来では、各出荷形態に応じて包装方法が異なっていたため、出荷形態毎で使用される資材等も異なっている。このため、図１３に示すように、従来の包装工程１５６では、ラインを一本化することができず、各出荷形態に合わせて複数のラインが必要となる。従って、出荷形態に応じて、各資材をストレージさせる結果となってしまう。
【００８４】
しかし、本発明のように、各出荷形態において、内装、外装などの包装形態の少なくとも一部の統一化を図ることで、資材の共有化も可能となり、また、スペースセービングを実現させることができる。さらに、包装工程３６の稼働率を上げることができ、各工程に配置された装置の無駄がなくなる。
【００８５】
また、フォトポリレーザ書き込み型や銀塩型レーザ書き込み型等赤灯下の暗所で加工しなければならない場合、ストレージをなくすことで同期運転しているため、照明切換がやりやすくなることもある。
【図面の簡単な説明】
【００８６】
【図１】本発明の実施の形態に係るＰＳ版の加工ラインを示す概略図である。
【図２】本発明の実施の形態に係るＰＳ版の包装工程のラインを示す説明図である。
【図３】（ｉ）、（ｉｉ）は、本発明の実施の形態に係るＰＳ版の各出荷形態に応じた包装方法を示す説明図である。
【図４】（ｉ）〜（ｉｖ）は、本発明の実施の形態に係るＰＳ版の各出荷形態に応じた包装方法を示す説明図である。
【図５】（Ａ）〜（Ｃ）は、本発明の実施の形態に係るＰＳ版の束内装を示す斜視図である。
【図６】本発明の実施の形態に係るＰＳ版の外装を示す斜視図である。
【図７】本発明の実施の形態に係るＰＳ版の一括内装を示す斜視図である。
【図８】（Ａ）、（Ｂ）は、本発明の実施の形態に係るＰＳ版の一括内装を示す斜視図である。
【図９】本発明の実施の形態に係るＰＳ版の片段ボール一括外装を示す斜視図である。
【図１０】本発明の実施の形態に係るＰＳ版の天板載せを示す斜視図である。
【図１１】本発明の実施の形態に係るＰＳ版のバンド掛けを示す斜視図である。
【図１２】（ｉ）〜（ｉｉｉ）は、従来の包装方法を示す説明図である。
【図１３】従来の包装工程のラインを示す説明図である。
【符号の説明】
【００８７】
１０    ＰＳ版（平版印刷版）
２２    裁断加工部（切断部）
３２    制御部
３４    コンベア
３６    包装工程
３８    集積部
４０    束テープ部
４２    束内装部（内装部）
４４    外装部（梱包部）
４６    第１出荷部
４７    束集積部
４８    一括内装部（外装部）
５０    片段ボール一括外装部（外装部）
５２    天板載せ部（梱包部）
５４    バンド締結部（梱包部）
５６    第２出荷部
６０    積層束（シート束）
６４    積層束（シート束）
１００  加工ライン
１６０  情報部（情報）
【図１】
2006089120.tif 000003
【図２】
2006089120.tif 000004
【図３】
2006089120.tif 000005
【図４】
2006089120.tif 000006
【図５】
2006089120.tif 000007
【図６】
2006089120.tif 000008
【図７】
2006089120.tif 000009
【図８】
2006089120.tif 000010
【図９】
2006089120.tif 000011
【図１０】
2006089120.tif 000012
【図１１】
2006089120.tif 000013
【図１２】
2006089120.tif 000014
【図１３】
2006089120.tif 000015